(57)【要約】【課題】糸把持ソレノイドから上糸が外れるのを防止する上糸繰り出し装置を提供する。【解決手段】ソレノイド１１と、ソレノイド１１との間に上糸３を把持する押さえ板１２，１２０と、を備え、ソレノイド１１と押さえ板１２，１２０との隙間を調節することにより、上糸３のソレノイド１１と押さえ板１２，１２０との間の通過を調節して、所定の糸量を糸駒２から繰り出す上糸繰り出し装置１，１０において、押さえ板１２，１２０を、当該押さえ板１２，１２０の上糸３が通過する経路に面する孔部１２Ｅ又は凹部１２０Ｅを少なくとも一つ有するように構成した。【選択図】図１
2006158643.tif 000002
【特許請求の範囲】
【請求項１】
ソレノイドと、前記ソレノイドとの間に上糸を把持する押さえ板と、を備え、
前記ソレノイドと前記押さえ板との隙間を調節することにより、前記上糸の前記ソレノイドと前記押さえ板との間の通過を調節して、所定の糸量を糸供給源から繰り出す上糸繰り出し装置において、
前記押さえ板は、上糸が通過する経路に面する孔部又は凹部を少なくとも一つ有することを特徴とする上糸繰り出し装置。
【請求項２】
前記孔部は、前記押さえ板の前記上糸が通過する経路の略中央部に面して設けられていることを特徴とする請求項１に記載の上糸繰り出し装置。
【発明の詳細な説明】
【技術分野】
【０００１】
本発明は、ミシンの上糸繰り出し装置に関する。
【背景技術】
【０００２】
従来、ミシンの上糸繰り出し装置は、上糸をコイルの励磁で開閉する押さえ板により把持する糸把持ソレノイドと、繰り出される上糸をループ状に掛け渡し、上糸が繰り出されて通過する際に回転するエンコーダと、上糸を引っ張って繰り出す繰り出しレバー等を備えて構成される。そして、糸把持ソレノイドを開いて繰り出しレバーにより１針の縫目形成に必要な糸量を繰り出した後、糸把持ソレノイドのコイルに電流を流すことにより励磁して押さえ板を閉じて針糸の繰り出しを停止することによって、糸駒から必要量の針糸が供給される。しかし、上糸が繰り出されて糸把持ソレノイドを通過する際に、押さえ板が糸把持ソレノイドから浮いてしまい、その後、コイルに電流を流して押さえ板を閉めると、押さえ板が糸把持ソレノイドのコイルの鉄心にあたって騒音が発生してしまうという問題があった。
そこで、従来、糸把持ソレノイドに微小電流を流すことにより、上糸がぎりぎり通過できるぐらいの隙間となるように押さえ板を予め閉めておき、押さえ板が浮いてしまうのを防止して、騒音を防ぐことが知られている（例えば、特許文献１）。
【特許文献１】特開平５−２４４３０１
【発明の開示】
【発明が解決しようとする課題】
【０００３】
しかしながら、微小電流を糸把持ソレノイドに流して、上糸がぎりぎり通過できるぐらいの隙間となるように予め押さえ板を閉めておくと、上糸が押さえ板と糸把持ソレノイドとの間の隙間を通過する際、当該上糸にわずかな押さえ圧が加わり、当該押さえ圧によって、上糸が押さえ圧の低い糸把持ソレノイドの外側へ逃げてしまうこととなり、上糸が糸把持ソレノイドから外れてしまうという問題が生じる。
【０００４】
本発明の課題は、糸把持ソレノイドから上糸が外れるのを防止する上糸繰り出し装置を提供することである。
【課題を解決するための手段】
【０００５】
上記課題を解決するため、請求項１に記載の発明は、ソレノイドと、前記ソレノイドとの間に上糸を把持する押さえ板と、を備え、前記ソレノイドと前記押さえ板との隙間を調節することにより、前記上糸の前記ソレノイドと前記押さえ板との間の通過を調節して、所定の糸量を糸供給源から繰り出す上糸繰り出し装置において、前記押さえ板は、上糸が通過する経路に面する孔部又は凹部を少なくとも一つ有することを特徴とする。
【０００６】
請求項２に記載の発明は、請求項１に記載の上糸繰り出し装置において、前記孔部は、前記押さえ板の前記上糸が通過する経路の略中央部に面して設けられていることを特徴としている。
【発明の効果】
【０００７】
請求項１に記載の発明によれば、押さえ板は、上糸が通過する経路に面する孔部又は凹部を少なくとも一つ有するので、当該孔部又は凹部においてソレノイドと押さえ板とに挟まれた上糸にかかる押さえ圧がなくなり、当該孔部又は凹部の周辺の方が当該孔部又は凹部より押さえ圧が高くなるので、当該上糸が当該孔部又は凹部の略中心位置に留まる作用が働くこととなって、上糸がソレノイドから外れてしまうことを防止することができ、安定した上糸繰り出し装置を提供できる。
また、当該孔部からピン等を挿入して、上糸のよれを直すことができることとなって、縫いむらの発生を抑制できる。
【０００８】
請求項２に記載の発明によれば、請求項１と同様の効果が得られるのは勿論のこと、特に、孔部は、押さえ板の上糸が通過する経路の略中央部に面して設けられているので、上糸が押さえ板の当該略中央部に好適に留まる作用が働くこととなり、上糸がソレノイドからより外れにくくすることができ、より安定した上糸繰り出し装置を提供できる。
【発明を実施するための最良の形態】
【０００９】
（第１の実施形態）
以下、図を参照して本発明を実施するための最良の形態を詳細に説明する。
まず、本発明の第１の実施形態に係るミシンの上糸繰り出し装置１の構成を説明する。
【００１０】
上糸繰り出し装置１は、図１〜図３に示すように、糸供給源としての糸駒２より上糸繰り出し方向下流側に配置されるソレノイド１１と、糸駒２から供給される上糸３をソレノイド１１との間で把持する押さえ板１２と、押さえ板１２を通過した上糸３の繰り出し量を計測するエンコーダ１３と、上糸３を繰り出す繰り出しレバー１４と、これら各部を制御する制御部１５等を備えて構成されている。
【００１１】
ソレノイド１１は、略直方体に形成された本体１１Ａと、本体１１Ａの上面の略中央部に突設される略円柱状の鉄心１１Ｂと、本体１１Ａの上面のややエンコーダ１３側の中央部に突設される円柱状の回り止めピン１１Ｃと、本体１１Ａの内部にソレノイド１１を励磁するためのコイル（図示省略）等を備えて構成されている。
【００１２】
押さえ板１２は、金属等からなる板金等で形成される平板状の基部１２Ａと、基部１２Ａの上糸３の通過方向と略平行な側部が斜め上方に折り曲げられて形成される上糸案内ガイド１２Ｂと、ソレノイド１１の鉄心１１Ｂ及び回り止めピン１１Ｃがそれぞれ挿通する第１の貫通穴部１２Ｃ及び第２の貫通穴部１２Ｄと、糸駒２とエンコーダ１３の間の上糸３が通過する経路の略中央部に面して設けられた孔部１２Ｅ等を備えて構成されている。
【００１３】
また、押さえ板１２は、当該押さえ板１２の第１の貫通穴部１２Ｃ及び第２の貫通穴部１２Ｄに、ソレノイド１１の鉄心１１Ｂ及び回り止めピン１１Ｃを挿通することにより、ソレノイド１１に取り付けられる。そして、ソレノイド１１に内装されたコイル（図示省略）に電流が流されることにより、ソレノイド１１が励磁され、押さえ板１２がソレノイド１１に引き寄せられ、押さえ板１２とソレノイド１１の隙間が狭められるようになっている。
【００１４】
上糸案内ガイド１２Ｂは、上糸３を掛ける際に、ソレノイド１１と押さえ板１２との隙間に上糸３を好適に引っ掛けられるように設けてある。
【００１５】
孔部１２Ｅは、ピン等を挿入して上糸３のよれを直すことができる程度の大きさとなっている。そして、孔部１２Ｅにおいては、押さえ板１２とソレノイド１１とに挟まれた上糸３に押さえ圧が作用しない。
【００１６】
エンコーダ１３は、上糸３をループ状に掛け渡して上糸３が通過する際に回転するようになっており、その回転数を検出して制御部１５に出力する。
【００１７】
繰り出しレバー１４は、エンコーダ１３を通過した上糸３を先端部に引っ掛ける引掛け部１４Ａを備えるレバーであって、当該繰り出しレバー１４が引掛け部１４Ａに上糸３を引っ掛けて引っ張ることにより、上糸３が糸駒２から繰り出される。
【００１８】
制御部１５は、図３に示すように、ＣＰＵ（Central  Processing  Unit）１５１、ＲＡＭ（Random  Access  Memory）１５２、記憶部１５３等から構成され、縫製者（図示省略）により操作されて縫製の開始及び停止の命令信号がＣＰＵ１５１に入力されるためのスタート・ストップスイッチ４、エンコーダ１３，ソレノイド１１に所定の電流を流してソレノイド１１を励磁させる駆動部５，繰り出しレバー１４等と入出力インターフェース（図示省略）を介して接続されている。
【００１９】
ＣＰＵ１５１は、記憶部１５３に格納された各種処理プログラムに従って各種の制御動作を行う。より具体的には、ＣＰＵ１５１は、エンコーダ１３等から出力された信号に基づいて、駆動部５，ソレノイド１１，押さえ板１２，繰り出しレバー１４等を制御することにより、上糸繰り出し装置１に、１針に必要な糸の長さ（糸量）の上糸３を糸駒２から繰り出す機能を実現させる。
【００２０】
ＲＡＭ１５２は、ＣＰＵ１５１により実行される処理プログラム等を、ＲＡＭ１５２内のプログラム格納領域に展開するとともに、入力データや上記処理プログラムが実行される際に生じる処理結果等をワークエリアに格納する。
【００２１】
記憶部１５３は、データ等が予め記憶されている記録媒体（図示省略）を有しており、この記録媒体は磁気的、光学的記録媒体、若しくは半導体メモリで構成されている。記憶部１５３は、例えば、図３に示すように、上糸繰り出し量データファイル１５３Ａ等を記憶する。
【００２２】
上糸繰り出し量データファイル１５３Ａには、縫製される布の厚さや縫目模様により決定される１針に必要な糸の長さ（糸量）が記憶されている。
【００２３】
また、記憶部１５３は、ＣＰＵ１５１で実行可能なシステムプログラム、当該システムプログラムで実行可能な各種処理プログラム等を格納している。これらのプログラムは、コンピュータが読み取り可能なプログラムコードの形で記憶部１５３に格納されている。具体的には、図３に示すように、糸量判断プログラム１５３Ｂ，駆動部制御プログラム１５３Ｃ，繰り出しレバー制御プログラム１５３Ｄ等が格納されている。
【００２４】
糸量判断プログラム１５３Ｂは、ＣＰＵ１５１に、エンコーダ１３から出力された回転数に基づいて、糸駒２から繰り出された糸量を算出し、算出された糸量が上糸繰り出し量データファイル１５３Ａに記憶された糸量に達したか否かを判断する機能を実現させるプログラムである。
【００２５】
駆動部制御プログラム１５３Ｃは、ＣＰＵ１５１に、ソレノイド１１に内装されたコイル（図示省略）に電流を流してソレノイド１１を励磁させる駆動信号を駆動部５に出力させる機能を実現させるプログラムである。より具体的には、ＣＰＵ１５１に、スタート・ストップスイッチ４が縫製者により操作されて縫製の開始の命令信号が入力された際に、駆動部５を制御して、ソレノイド１１に内装されたコイルに微小電流を流させることにより、ソレノイド１１を弱く励磁させるとともに、糸量判断プログラム１５３Ｂを実行することにより糸駒２から繰り出された糸量が上糸繰り出し量データファイル１５３Ａに記憶された糸量に達したと判断した際に、駆動部５を制御して、ソレノイド１１に内装されたコイルに所定の電流を流させることにより、ソレノイド１１を励磁させる機能を実現させるプログラムである。ここで、所定の電流とは、押さえ板１２がソレノイド１１に当接して上糸３を確実に把持するのに十分な電流値の電流のことを指す。
【００２６】
繰り出しレバー制御プログラム１５３Ｄは、ＣＰＵ１５１に、繰り出しレバー１４を制御して、引掛け部１４Ａに引っ掛けられた上糸３を引っ張らせることにより、糸駒２から上糸３を繰り出させる機能を実現させるプログラムである。
【００２７】
次に、上述のような構成の上糸繰り出し装置１の動作を説明する。
まず、縫製者により、スタート・ストップスイッチ４が操作されて、縫製の開始の命令信号がＣＰＵ１５１に入力されると、ＣＰＵ１５１は、駆動部制御プログラム１５３Ｃを実行することにより、駆動部５を制御して、ソレノイド１１に内装されたコイルに微小電流を流させ、ソレノイド１１を弱く励磁させる。すると、押さえ板１２がソレノイド１１に引き寄せられて、当該押さえ板１２は、上糸３がぎりぎり通過可能なわずかな隙間を開くようになる。
【００２８】
次に、ＣＰＵ１５１は、繰り出しレバー制御プログラム１５３Ｄを実行することにより、繰り出しレバー１４を制御して、引掛け部１４Ａに引っ掛けられた上糸３を引っ張らせることにより、糸駒２から上糸３を繰り出させる。
【００２９】
そして、繰り出された上糸３は、ソレノイド１１と押さえ板１２との間、即ち、上糸３が通過可能なわずかな隙間を通過して、エンコーダ１３へと向かう。このとき、ソレノイド１１と押さえ板１２に挟まれた上糸３には、わずかな押さえ圧が加わることとなるが、押さえ板１２に設けられた孔部１２Ｅにおいては上糸３にかかる押さえ圧が作用しないため、当該孔部１２Ｅの周辺の方が当該孔部１２Ｅより押さえ圧が高くなり、当該上糸３が当該孔部１２Ｅの略中心位置に留まる作用が働くため、上糸３は当該孔部１２Ｅの中心付近を通過することとなる。
【００３０】
次に、ＣＰＵ１５１は、糸量判断プログラム１５３Ｂを実行することにより、エンコーダ１３から出力された回転数に基づいて糸駒２から繰り出された糸量を算出し、糸駒２から繰り出された糸量が上糸繰り出し量データファイル１５３Ａに記憶されている糸量に達したか否かを判断する。
【００３１】
次に、ＣＰＵ１５１は、糸駒２から繰り出された糸量が上糸繰り出し量データファイル１５３Ａに記憶されている糸量に達したと判断した場合には、駆動部制御プログラム１５３Ｃを実行することにより、駆動部５を制御して、ソレノイド１１に内装されたコイルに所定の電流を流させ、ソレノイド１１を励磁させる。すると、押さえ板１２がソレノイド１１に引き寄せられて、当該押さえ板１２は、ソレノイド１１に隙間を開けずに当接する。これにより、上糸３の通過が停止されて、上糸３の繰り出しが停止される。
【００３２】
以上に説明した、本発明の第１の実施形態に係る上糸繰り出し装置１によれば、押さえ板１２は、上糸３が通過する経路に面する孔部１２Ｅを有するので、当該孔部１２Ｅにおいてソレノイド１１と押さえ板１２とに挟まれた上糸３にかかる押さえ圧がなくなり、当該孔部１２Ｅの周辺の方が当該孔部１２Ｅより押さえ圧が高くなるので、当該上糸３が当該孔部１２Ｅの略中心位置に留まる作用が働くこととなって、上糸３がソレノイド１１から外れてしまうことを防止することができ、安定した上糸繰り出し装置１を提供できる。
また、特に、孔部１２Ｅは、押さえ板１２の上糸３が通過する経路の略中央部に面して設けられているので、上糸３が押さえ板１２の当該略中央部に好適に留まる作用が働くこととなり、上糸３がソレノイド１１からより外れにくくすることができる。
また、当該孔部１２Ｅからピン等を挿入して、上糸３のよれを直すことができることとなって、縫いむらの発生を抑制できる。
【００３３】
なお、第１の実施形態では、孔部１２Ｅは、押さえ板１２の上糸３が通過する経路の略中央部に面して設けられることとしたが、押さえ板１２の上糸３が通過する経路に面して複数設けられても良い。
【００３４】
（第２の実施形態）
本発明の第２の実施形態に係る上糸繰り出し装置１０では、押さえ板１２０の構成のみが第１の実施形態の上糸繰り出し装置１と異なるため、第１の実施形態の上糸繰り出し装置１と同様の構成については、同一符号を付すとともに、その説明を省略する。
【００３５】
第２の実施形態に係る押さえ板１２０は、図４，５に示すように、金属等からなる板金等で形成される平板状の基部１２０Ａと、基部１２０Ａの上糸３の通過方向と略平行な側部が斜め上方に折り曲げられて形成される上糸案内ガイド１２０Ｂと、ソレノイド１１の鉄心１１Ｂ及び回り止めピン１１Ｃがそれぞれ挿通する第１の貫通穴部１２０Ｃ及び第２の貫通穴部１２０Ｄと、糸駒２とエンコーダ１３の間の上糸３が通過する経路に面した略中央部が上側に突出するよう折り曲げられて形成された凹部１２０Ｅ等を備えて構成されている。そして、当該凹部１２０Ｅにおいて、押さえ板１２０とソレノイド１１とに挟まれた上糸３に押さえ圧はかからない。
【００３６】
そして、ソレノイド１１に微小電流が供給されて形成された押さえ板１２０とソレノイド１１との隙間、即ち、上糸３がぎりぎり通過可能なわずかな隙間を、繰り出された上糸３が通過してエンコーダ１３へと向かうとき、ソレノイド１１と押さえ板１２０に挟まれた上糸３には、わずかな押さえ圧が加わることとなるが、押さえ板１２０に設けられた凹部１２０Ｅにおいては上糸３にかかる押さえ圧がかからなくなるため、当該凹部１２０Ｅの周辺の方が当該凹部１２０Ｅより押さえ圧が高くなり、当該上糸３が当該凹部１２０Ｅの略中心位置に留まる作用が働くこととなって、上糸３は当該凹部１２０Ｅの中心付近を通過することとなる。
【００３７】
以上に説明した、本発明の第２の実施形態に係る上糸繰り出し装置１０によれば、押さえ板１２０は、上糸３が通過する経路に面する凹部１２０Ｅを有するので、当該凹部１２０Ｅにおいてソレノイド１１と押さえ板１２０とに挟まれた上糸３にかかる押さえ圧がなくなり、当該凹部１２０Ｅの周辺の方が当該凹部１２０Ｅより押さえ圧が高くなるので、当該上糸３が当該凹部１２０Ｅの略中心位置に留まる作用が働くこととなって、上糸３がソレノイド１１から外れてしまうことを防止することができ、安定した上糸繰り出し装置１０を提供できる。
なお、第２の実施形態においては、凹部１２０Ｅは、押さえ板１２０の上糸３が通過する経路の略中央部に面して設けられることとしたが、押さえ板１２０の上糸３が通過する経路に面して複数設けられても良い。
【図面の簡単な説明】
【００３８】
【図１】本発明の第１の実施形態に係る上糸繰り出し装置の正面図である。
【図２】本発明の第１の実施形態に係る上糸繰り出し装置の平面図である。
【図３】本発明の第１の実施形態に係る上糸繰り出し装置の制御部の要部構成を示すブロック図である。
【図４】本発明の第２の実施形態に係る上糸繰り出し装置の正面図である。
【図５】図４のＶ−Ｖ矢視断面図である。
【符号の説明】
【００３９】
１，１０  上糸繰り出し装置
１１  ソレノイド
１２，１２０  押さえ板
１２Ｅ  孔部
１２０Ｅ  凹部
２  糸駒（糸供給源）
３  上糸
【図１】
2006158643.tif 000003
【図２】
2006158643.tif 000004
【図３】
2006158643.tif 000005
【図４】
2006158643.tif 000006
【図５】
2006158643.tif 000007